(57)【要約】【課題】空気調和機のファンユニットの補助吹出口への埃の侵入を防ぐとともに、美観の向上を図かる。【解決手段】本体ユニット２と、本体ユニット２の左右両側に取り付けられ、前面側に補助吹出口５４を備えて回動するファンユニットとからなる空気調和機１であって、本体ユニット２は、空気調和機１の運転停止状態の時に本体ユニット２の前面側とファンユニット５０、５１の補助吹出口５４までを覆い隠す開閉パネル３１を備え、空気調和機の運転状態の時には前記開閉パネル３１が補助吹出口５４が現れる位置まで移動する。【選択図】図１
2014149113.tif 000002
【特許請求の範囲】
【請求項１】
本体ユニットと、前記本体ユニットの左右両側の少なくともどちらか一方に取り付けられ、前面側に補助吹出口を備え前記左右両側に交差する仮想の回転軸回りで水平位置から下方へ回動可能なファンユニットとからなる空気調和機であって、
前記本体ユニットは、前記空気調和機の運転停止状態の時に前記本体ユニットの前面側と前記ファンユニットの前記補助吹出口までを覆い隠す開閉パネルを備え、
前記空気調和機の運転状態の時には前記開閉パネルが前記補助吹出口が現れる位置まで移動することを特徴とする空気調和機。
【発明の詳細な説明】
【技術分野】
【０００１】
本発明は空気調和機の形状に関する。
【背景技術】
【０００２】
空気調和機の本体の左右両側に吹出口を備えた従来例として下記の特許文献１がある。特許文献１は、前面部に開閉パネルによって開閉自在とした吸込部を有し、この吸込部より吸込んだ空気を本体の左右両側に設けられた吹出部より吹き出すタイプの空気調和機（エアーコンディショナー）である。本体左右両側の吹出部は、それぞれ吹出口が設けられるとともに内部に送風ファンが収容され、そして、吹出口からの空気の吹出方向を広範囲に可変させられるように個別に回動する形態になっている。（特許文献１参照）
【０００３】
また、空気調和機の本体の左右両側に補助送風機を備えたものに、先行出願の特願２０１２−１０３５２１号がある。これは、本体ユニットと本体ユニットの左右両側にそれぞれファンユニットが設けられ、ファンユニットは、室内空気を吸い込んで当該室内空気を吹き出すものである。
【先行技術文献】
【特許文献】
【０００４】
【特許文献１】意匠登録第１１９３５７４号公報
【発明の概要】
【発明が解決しようとする課題】
【０００５】
特許文献１は、運転停止時には吹出部の吹出口が天井方向へ回転することで、在室者からは吹出口が視認されずにスッキリとした意匠となるが、吹出口が天井へ向いて開口しているため埃が中に溜まりやすい。そのため、吹出口を塞ぐために例えば吹出口内の風向板で吹出口を塞ぐ機構が別途必要となる。
【０００６】
また、先行出願の場合は、補助送風機の吹出口が正面を向いているため特許文献１のように吹出口の中に埃が溜まることは少ないが、運転時および運転停止時もファンユニットの吹出口が露出するため、吹出口が目立ちフラットな前面を構成している本体ユニットとの間に一体感がなく、美観のある意匠とは言い難い。
【０００７】
本発明の課題は、本体ユニットの左右両側に取り付けられたファンユニットの補助吹出口を開閉パネルで覆い隠すことで、補助吹出口への埃の侵入を防ぐとともに、在室者からは補助吹出口が視認されなくなり、美観の向上を図れる空気調和機を提供する。
【課題を解決するための手段】
【０００８】
本発明は、本体ユニットと、前記本体ユニットの左右両側の少なくともどちらか一方に取り付けられ、前面側に補助吹出口を備え前記左右両側に交差する仮想の回転軸回りで水平位置から下方へ回動可能なファンユニットとからなる空気調和機であって、
前記本体ユニットは、前記空気調和機の運転停止状態の時に前記本体ユニットの前面側と前記ファンユニットの前記補助吹出口までを覆い隠す開閉パネルを備え、
前記空気調和機の運転状態の時には前記開閉パネルが前記補助吹出口が現れる位置まで移動することを特徴とする。
【発明の効果】
【０００９】
以上のように、本体ユニットと、本体ユニットの左右両側に取り付けられ、前面側に補助吹出口を備えて回動するファンユニットとからなる空気調和機であって、本体ユニットは、空気調和機の運転停止状態の時に本体ユニットの前面側とファンユニットの補助吹出口までを覆い隠す開閉パネルを備え、空気調和機の運転状態の時には開閉パネルが補助吹出口が現れる位置まで移動することで、補助吹出口への埃の侵入を防ぐとともに、在室者からは補助吹出口が視認されなくなり、美観の向上を図れる空気調和機を提供することができる。
【図面の簡単な説明】
【００１０】
【図１】本発明の空気調和機の室内機の運転停止状態の外観斜視図である。
【図２】本発明の室内機の中央部の垂直断面図である。
【図３】本発明の室内機の一部を分解した図である。
【図４】本発明の室内機のファンユニットの垂直断面図である。
【図５】本発明の室内機の暖房運転状態の時の一具体例を示す図で、（Ａ）は外観斜視図で、（Ｂ）はファンユニットの垂直断面図で、（Ｃ）は気流の一具体例を示す概念図ある。
【図６】本発明の室内機の冷房運転状態の時の一具体例を示す図で、（Ａ）は外観斜視図で、（Ｂ）はファンユニットの垂直断面図で、（Ｃ）は気流の一具体例を示す概念図ある。
【発明を実施するための形態】
【００１１】
以下、本発明の実施の形態を、添付図面に基づいた実施例として詳細に説明する。
【実施例１】
【００１２】
図１は本発明の空気調和機の室内機１の外観斜視図であり、図２は室内機１の中央部の垂直断面図であり、図３は室内機の一部を分解した図である。本発明の室内機１は、主に空調室の天井近くの壁面に取り付けられ、図１乃至図３に示すように本体ユニット２と、本体ユニット２の左右両側に取り付けた１対のファンユニット５０、５１とからなる。また、ファンユニット５０、５１はどちらか一方だけ設けても良い。
【００１３】
＜本体ユニット＞
本体ユニット２は横長の矩形状であり、内部には本体と平行に横長のクロスフローファンタイプの第１送風ファン２０と第１送風ファン２０の周囲を囲む熱交換器２１を備える。第１送風ファン２０は本体ユニット２の片側で図示しない第１ファンモータに軸支される。第１ファンモータと熱交換器２１は、ケーシング２３に支えられ、ケーシング２３は後述する吸込口２４と吹出口２５を結ぶ送風路２６を形成する。
本体ユニット２の外郭は熱交換器２１の前面側と天面を覆うメインフレーム２７と、送風路２６の出口である吹出口２５に取り付けられ運転停止状態の時は吹出口２５を塞ぐ上風向板２８ａと下風向板２８ｂからなる風向板２８と、下風向板２８ｂよりも底面でケーシング２３を塞ぐ底板２９と、メインフレーム２７の前面に覆い被さる前面パネル３０で構成される。前面パネル３０の前面には、開閉パネル３１が設けられている。開閉パネル３１の表面はフラットな面で構成され、室内機１の運転停止状態の時に、図１のように本体ユニット２の前面側とファンユニット５０、５１の前面側を覆い隠す。これにより在室者は前面視で開閉パネルと風向板２８だけが視認でき、インテリアに馴染むシンプルな意匠が形成される。また、室内機１の運転状態の時には、開閉パネル３１は図５（Ｂ）に示す本体ユニット２に設けられた図示しない駆動機構により開閉パネル３１の裏面側に連結するアーム３１１が前方へ可動することで前方上方へ移動する。開閉パネル３１が移動すると、前面パネル３０の上部に設けた開口部３０ｂが開かれ、この開口部３０ｂとメインフレーム２７に設けた開口とが吸込口２４となる。
【００１４】
尚、図１において室内機１の開閉パネル３１のある面を前面とし、前面の対面を背面とし、ファンユニット５０側を右側面とし、ファンユニット５１側を左側面として以下説明する。
【００１５】
本体ユニット２は第１ファンモータの回動により第１送風ファン２０が回転することで吸込口２４から取り入れられた室内空気を、熱交換器２１で冷媒と熱交換して冷気または暖気に換え送風路２６を通過して吹出口２５から上風向板２８ａと下風向板２８ｂで風向調整をして空調室に吹き出す。
【００１６】
＜側面カバー＞
本体ユニット２の左右両側には、それぞれ側面カバー４０、４１を備える。側面カバー４０、４１は本体ユニット２と一体で本体ユニット２の側面の外郭を構成する部品でも良いし、別体の部品を本体ユニット２に取り付けてもよい。
側面カバー４０は本体ユニット２の右側面側に備えられファンユニット５０を取り付ける。側面カバー４１は本体ユニット２の左側面側に備えられファンユニット５１を取り付ける。側面カバー４０と側面カバー４１は略対称形であるため、ここでは側面カバー４０について説明する。
側面カバー４０は、図１と図３と図４に示すように本体ユニット２のメインフレーム２７の天面２７ａと同一面となるように形成された天面部４２と、天面部４２に続いて形成され前面の中央まで延びる前面部４２１と、底板２９と同一面となるように形成された底面部４３と、前面パネル３０の側面３０ａの端に取り付けられ側面３０ａと同一面になり本体ユニット２の側面を塞ぐ壁面部４４と、天面部４２と底面部４３を結んだ垂直面に設けられ本体ユニット２の外壁面となる外壁面部４５と、壁面部４４と外壁面部４５の内側を連結し、前面部４２１の下端４２１ａと底面部４３の前端４３ａを繋ぐ内壁面部４６とからなり、壁面部４４と外壁面部４５と内壁面部４６によりできる空間がファンユニット取付部４７となる。
側面カバー４０の前面部４２１と底面部４３の間で前面から底面に掛けては開口部４７ａがある。
外壁面部４５には中央に複数の桟４８が設けられ、桟４８と桟４８の間の開口が補助吸込口４９となる。補助吸込口４９の前面寄りで桟４８と外壁面部４５の間の開口されたフィルター挿入口４８ａにはファンユニット用フィルター９０が挿入される。
【００１７】
＜ファンユニット＞
ファンユニット５０、５１は、図１と図３に示すように側面カバー４０に取り付けられるファンユニット５０と、側面カバー４１に取り付けられるファンユニット５１の一対のファンユニット５０、５１で構成される。ファンユニット５０とファンユニット５１は対称形であるため、ここではファンユニット５０を説明する。
ファンユニット５０は、本体ユニット２に対して回動可能となるように、側面カバー４０の壁面部４４に支持される。ここではファンユニット５０は本体ユニット２の側面である壁面部４４に交差し、第２送風ファン６３を回転させる第２ファンモータ６１の駆動軸６１ａ線上に合わせた仮想の回転軸回りで図４から図６（Ｂ）に示すように水平位置から下方へ回動可能となる。本実施例においてファンユニット５０の仮想の回転軸は水平軸線５２とする。
ファンユニット５０は、図３に示す駆動軸６１ａを備えた第２ファンモータ６１を固定した図示しないモータ取付板が、側面カバー４０の壁面部４４に対向する左側面部５０５に固定される。モータ取付板には他に図示しないステッピングモータが固定され、ステッピングモータの回転でファンユニット５０が水平線軸５２を回動の中心として回動するようにした回動機構を備える。
【００１８】
ファンユニット５０は、図３と図４に示すように内部に第２送風ファン６３を備える。第２送風ファン６３は円柱型の周囲に羽根６３ａを備え中央部がドーム型６３ｂをした所謂シロッコファンが用いられる。ドーム型６３ｂの内側に第２ファンモータ６１が収納され、第２ファンモータ６１の駆動軸６１ａにより第２送風ファン６３が回転する。
ファンユニット５０は、第２送風ファン６３の周囲に送風路７０を備える。送風路７０は、図４においては第２送風ファン６３に沿って徐々に半径を大きくして前方に延びるノズル７１を備え出口側に補助吹出口５４を有する。補助吹出口５４はファンユニット５０の前面側の前面部５０１に位置する。補助吹出口５４には補助風向板６０を備える。補助風向板６０の上部には送風路７０の壁を挟んで補助風向板６０を駆動する補助風向板用モータ６０ａが備わる。
室内機１は図４においては運転停止状態となっており、補助吹出口５４は開閉パネル３１の裏面に近接する。一方、開閉パネル３１は、本体ユニット２の前面側とファンユニット５０の補助吹出口５４までを覆い隠すことになる。
補助吹出口５４が開閉パネル３１の裏面に収容されることで、補助吹出口５４を塞ぐ機構がなくても補助吹出口５４内に埃が侵入することを防ぐことができるとともに、在室者からは補助吹出口５４が視認されなくなり、室内機１の美観の向上が図れる。
【００１９】
ファンユニット５０の外郭は、図３に示すように内部に第２送風ファン６３と送風路７０を包み込む。前面部５０１には補助吹出口５４が位置する。図１に示す室内機１が運転停止状態の時に、ファンユニット５０の底面部５０２は、側面カバー４０の開口部４７ａを塞いで本体ユニット２と同一面に見えるように本体ユニット２に合わせた形で形成される。
また、図３に示すように側面カバー４０の外壁面部４５に対向するファンユニット５０の右側面部５０４は平滑面で形成され、第２送風ファン６３に合わせた円形の開口部５５を有する。側面カバー４０の補助吸込口４９から取り込まれた室内空気は開口部５５から第２送風ファン６３に流入する。
また、壁面部４４に対向するファンユニット５０の左側面部５０５も平滑面で形成され上述したモータ取付板が備わる。
【００２０】
図４において、ファンユニット取付部４７に収容された部分のファンユニット５０の外郭は、補助風向板用モータ６０ａの上部で側面カバー４０の前面部４２１の下端４２１ａに近接する平面部５０６と、送風路７０の上部を覆い水平線軸５２とを結ぶ半径Ｄ１で形成される第１円周面５０７と、背面側に突出し水平線軸５２とを結ぶ半径Ｄ２で形成される第２円周面５０８と、底面部５０２の背面側の端で側面カバー４０の底面部４３の前端４３ａと近接する角部５０３と水平線軸５２とを結ぶ半径Ｄ３で形成される第３円周面５０９でなる。半径の大きさは半径Ｄ１＜半径Ｄ３＜半径Ｄ２で構成される。
第１円周面５０７と第２円周面５０８は水平線軸５２から延長された線上に設けた平面で交わり、この平面がファンユニット５０の下方への回動を規制する下方規制壁５６となる。
また、第２円周面５０８と第３円周面５０９は水平線軸５２から延長された線上に設けた平面で交わり、この平面がファンユニット５０の上方への回動を規制する上方規制壁５７となる。尚、平面部５０６も同様に上方への回動を規制する規制壁の役割を成す。
【００２１】
側面カバー４０の内壁面部４６は、上述したファンユニット５０の外郭に合わせ、ファンユニット５０の平面部５０６と第１円周面５０７と下方規制壁５６と第２円周面５０８と上方規制壁５７と第３円周面５０９との間に回動に必要な隙間を設けて形成される。
尚、第１円周面５０７および第２円周面５０８に対向する面は、ファンユニット５０の第２円周面５０８が回動できる空間４６１を設ける。また、図４から図６（Ｂ）までファンユニット５０の下方規制壁５６が下方へ６０°回転した時に接する規制壁４６２を設ける。同様に、ファンユニット５０の上方規制壁５７に対向する規制壁４６３を設ける。
【００２２】
次に室内機１の運転状態について説明する。室内機１は図４の運転停止状態の時に開閉パネル３１で補助吹出口５４が覆い隠されている状態から、図５の運転開始をして開閉パネル３１が補助吹出口５４が現れる位置まで移動した状態、さらに図６のファンユニット５０が水平線軸５２を中心に前面が下方に最大６０度まで回動した状態まで変化する。尚、ここでは以下図４から図６へ前面が下方へ傾斜することを下流とし、逆に前面が上方へ戻ることを上流として説明する。
【００２３】
図５は室内機１の暖房運転状態の時の一具体例を示す図である。暖房運転が設定されると本体ユニット２の開閉パネル３１は図示しない駆動機構により開閉パネル３１の裏面側に連結するアーム３１１が前方へ可動することで前方上方へ移動する。また、風向板２８も駆動して冷媒と熱交換した暖気９５を吹出口２５から下方方向に空調室Ｒに向けて吹き出す。
開閉パネル３１の移動によりファンユニット５０、５１の補助吹出口５４が現れる。補助吹出口５４は補助吸込口４９から取り込んだ室内空気Ｓを吹き出す。補助吹出口５４には補助風向板用モータ６０ａで変位する補助風向板６０が取り付けられる。補助風向板６０は補助吹出口５４から吹出される気流の向きを水平方向に偏向させることができる。
暖気９５は、室内空気よりも軽いため徐々に上昇する。この場合にファンユニット５０、５１は吹出口２５よりも上方に向けた補助吹出口５４から室内空気Ｓを暖気９５より上方に向けて吹き出す。室内空気Ｓは暖気９５よりも冷たいため、暖気９５は室内空気Ｓに抑えられてすぐに上昇せずに空調室Ｒに広く吹きわたるとともに、在室者Ｍには足元が温まり心地よい暖感を与えることができる。
【００２４】
図６は室内機１の冷房運転状態の時の一具体例を示す図である。冷房運転が設定されると本体ユニット２の開閉パネル３１は図示しない駆動機構により開閉パネル３１の裏面側に連結するアーム３１１が前方へ可動することで前方上方へ移動する。また、風向板２８も駆動して冷媒と熱交換した冷気９６を吹出口２５から水平方向に空調室Ｒに向けて吹き出す。
開閉パネル３１の移動により前方が開放されたファンユニット５０、５１は、水平線軸５２回りで下流へ最大６０°まで回動する。
補助吹出口５４は本体ユニット２の吹出口２５よりも下方に突出し、補助吸込口４９から取り込んだ室内空気Ｓを補助吹出口５４から吹き出す。補助吹出口５４には補助風向板用モータ６０ａで変位する補助風向板６０が取り付けられる。補助風向板６０は補助吹出口５４から吹出される気流の向きを下方向に偏向させることができる。
冷気９６は、室内空気よりも重いため徐々に下降する。この場合にファンユニット５０、５１は吹出口２５よりも下方に突出した補助吸込口５４から室内空気Ｓを下方に向けて吹き出す。室内空気Ｓは冷気９６よりも暖かいため、冷気９６は室内空気Ｓに押し上げられてすぐに下降せずに空調室Ｒに広く吹きわたるとともに、在室者Ｍには直接冷気が当たらないことで心地よい涼感を与えることができる。
【００２５】
以上のように、本体ユニット２と、本体ユニット２の左右両側に取り付けられ、前面側に補助吹出口５４を備えて回動するファンユニット５０、５１とからなる空気調和機の室内機１は、室内機１の運転停止状態の時に、本体ユニット２の前面側とファンユニット５０、５１の補助吹出口５４までを覆い隠す開閉パネル３１を備えることで、補助吹出口５４への埃の侵入を防ぐとともに、在室者からは補助吹出口５４が視認されなくなり、空気調和機の美観の向上を図れる。
また、運転状態の時には開閉パネル３１が補助吹出口５４が現れる位置まで移動することで本体ユニット２の吸込口２４を開放するとともに補助吹出口５４も開放される。
さらに、ファンユニット５０、５１の回動時は補助吹出口５４が本体ユニット２の吹出口２５よりも下方へ突出した位置に移動することで、送風路７０のノズル７１が長くなり風力が強くなり吹き出したい方向へ確実に送風することができ、吹出口２５から吹き出された冷気９６に大きく影響を与える。
【符号の説明】
【００２６】
１：空気調和機（室内機）、２：本体ユニット、２７：メインフレーム、２８：風向板、３０：前面パネル、３１：開閉パネル、４０、４１：側面カバー、４４：壁面部、４５：外壁面部、４６：内壁面部、４９：補助吸込口、５０、５１：ファンユニット、５２：水平線軸、５４：補助吹出口、６１：第２ファンモータ、６３：第２送風ファン、７０：送風路、９５：暖気、９６：冷気、Ｍ：在宅者、Ｒ：空調室、Ｓ：室内空気
【図１】
2014149113.tif 000003
【図２】
2014149113.tif 000004
【図３】
2014149113.tif 000005
【図４】
2014149113.tif 000006
【図５】
2014149113.tif 000007
【図６】
2014149113.tif 000008